(57)【要約】【課題】書換え可能な記録媒体への記録時に１回だけ書込み可能な記録媒体への記録時及び／または記録媒体の再生時より光スポットを大きくして使用し、書換え可能な記録媒体へのマーク記録時、既に記録されている相変化マークの消去率を増進させて書換え特性を向上した書換え特性を向上させうる記録装置及び方法を提供する。【解決手段】光源と、前記光源からの出射光を記録媒体の記録面に光スポットとして集束させる対物レンズを備える光ピックアップを適用し、記録可能型記録媒体にマークを記録でき、書換え可能な記録媒体に記録する際には、１回だけ書込み可能な記録媒体への記録時及び／または記録媒体の再生時より、記録媒体の記録面に形成される光スポットを大きくして使用する。【選択図】　　　図２
2004014100.tif 000002
【特許請求の範囲】
【請求項１】
光源と、前記光源からの出射光を記録媒体の記録面に光スポットとして集束させる対物レンズを備える光ピックアップを適用し、記録可能型記録媒体にマークを記録可能な記録装置において、
書換え可能な記録媒体に記録する際には、１回だけ書込み可能な記録媒体への記録時及び／または記録媒体の再生時より、記録媒体の記録面に形成される光スポットを大きくして記録することを特徴とする記録装置。
【請求項２】
前記光ピックアップは、記録媒体の記録面に形成される光スポットサイズを可変できる光スポットサイズ調節部材を備え、
書換え可能な記録媒体への記録時に、１回だけ書込み可能な記録媒体への記録時及び／または所定記録媒体の再生時より、記録媒体の記録面に形成される光スポットが大きくなるように、前記光スポットサイズ調節部材を制御する制御部と、を含むことを特徴とする請求項１に記載の記録装置。
【請求項３】
前記光スポットサイズ調節部材は、前記対物レンズに一体形成されたことを特徴とする請求項２に記載の記録装置。
【請求項４】
前記光スポットサイズ調節部材は、液晶の透過率調節により前記対物レンズの有効開口数を変化させることによって記録媒体の記録面に形成される光スポットサイズを調節可能になったことを特徴とする請求項２または３に記載の記録装置。
【請求項５】
前記光スポットサイズ調節部材は、前記対物レンズの有効開口数を変化させるために前記対物レンズの周辺部に対応する位置にのみ液晶が塗布され、電極が連結された構造よりなることを特徴とする請求項４に記載の記録装置。
【請求項６】
前記対物レンズは、記録媒体の記録面に形成される光スポットサイズを可変可能に備えられ、
書換え可能な記録媒体への記録時に、１回だけ書込み可能な記録媒体への記録時及び／または所定記録媒体の再生時より、記録媒体の記録面に形成される光スポットのサイズが大きくなるように前記対物レンズを制御する制御部とを備えることを特徴とする請求項１に記載の記録装置。
【請求項７】
書換え可能な記録媒体への記録時には前記対物レンズをデフォーカスして記録媒体の記録面に形成される光スポットを大きくすることを特徴とする請求項１に記載の記録装置。
【請求項８】
前記書換え可能な記録媒体は相変化記録媒体であることを特徴とする請求項１、３、６及び７のうち何れか一項に記載の記録装置。
【請求項９】
前記書換え可能な記録媒体は、ＣＤ−ＲＷ、ＤＶＤ−ＲＷ、ＤＶＤ＋ＲＷ、ＤＶＤ−ＲＡＭ、ＤＶＤより高密度である１回以上の書換え可能な次世代ＤＶＤのうち何れか１つであり、
ＣＤ系列の光ディスク、ＤＶＤ系列の光ディスク及び次世代ＤＶＤ系列の光ディスクのうち少なくとも何れか１つに記録及び／または再生された情報を再生するのに適用されることを特徴とする請求項８に記載の記録装置。
【請求項１０】
光源と、前記光源からの出射光を集束させて記録媒体の記録面に光スポットとして集束させる対物レンズを備える光ピックアップを適用し、書換え可能な記録媒体に記録する方法において、
書換え可能な記録媒体の記録面に形成される光スポットサイズを１回だけ書込み可能な記録媒体への記録時及び／または記録媒体再生時より大きくして記録することを特徴とする記録方法。
【請求項１１】
前記光ピックアップは、記録媒体の記録面に形成される光スポットサイズを可変させる光スポットサイズ調節部材を備え、
前記光スポットサイズ調節部材を制御し、書換え可能な記録媒体への記録時に、１回だけ書込み可能な記録媒体への記録時及び／または所定記録媒体の再生時より、記録媒体の記録面に形成される光スポットを大きくすることを特徴とする請求項１０に記載の記録方法。
【請求項１２】
前記対物レンズは記録媒体の記録面に形成される光スポットサイズを可変すべく備えられ、
前記対物レンズを制御して書換え可能な記録媒体への記録時に、１回だけ書込み可能な記録媒体への記録時及び／または所定記録媒体からの再生時より、記録媒体の記録面に形成される光スポットを大きくすることを特徴とする請求項１０に記載の記録方法。
【請求項１３】
書換え可能な記録媒体への記録時には前記対物レンズをデフォーカスして記録媒体の記録面に形成される光スポットを大きくすることを特徴とする請求項１０に記載の記録方法。
【請求項１４】
前記書換え可能な記録媒体は相変化記録媒体であることを特徴とする請求項１０ないし１３のうち何れか一項に記載の記録方法。
【請求項１５】
前記書換え可能な記録媒体は、ＣＤ−ＲＷ、ＤＶＤ−ＲＷ、ＤＶＤ＋ＲＷ、ＤＶＤ−ＲＡＭ、ＤＶＤより高密度である１回以上の書換え可能な次世代ＤＶＤのうち何れか１つであることを特徴とする請求項１４に記載の記録方法。
【発明の詳細な説明】
【０００１】
【発明の属する技術分野】
本発明は記録装置及び方法に係り、特に書換え可能な記録媒体へのマーク記録時に書換え（Ｏｖｅｒｗｒｉｔｅ）特性を向上させうる記録装置及び方法に関する。
【０００２】
【従来の技術】
記録可能型記録媒体としては、ＣＤ−Ｒ、ＤＶＤ−Ｒのような１回だけ書込み可能な記録媒体、ＣＤ−ＲＷ、ＤＶＤ−ＲＷ、ＤＶＤ＋ＲＷ、ＤＶＤ−ＲＡＭのような書換え可能な記録媒体などがある。
【０００３】
書換え可能な記録媒体、すなわち、相変化記録媒体には既に相変化マークが記録されている領域上に新たな相変化マークを上書きする方式にて書換えが行われる。
【０００４】
図１は、現在販売されている１０倍速（１０×）用のＣＤ−ＲＷ光ディスクを４倍速（４×）及び１０倍速（１０×）に書換えした時、書換え回数によるジッタ測定の結果を示す。図１において、横軸は書換え回数、縦軸は書換えによるジッタである。１倍速における１Ｔパルス幅が２２０ｎｓｅｃとする時、１倍速における書換えによる相変化マーク列のジッタを測定した結果を示す。ジッタは、基準パルス幅について記録マーク長に該当するパルス幅の偏差を示すので、図１のようにｎｓｅｃにて表現されうる。
【０００５】
図１から分かるように、１０倍速（１０×）用のＣＤ−ＲＷ光ディスクを１０倍速にて書換えする時、２回記録時のジッタが１回記録時のジッタより１９ｎｓｅｃ程度と大きく増加する。このようなジッタ増加は、既に記録されている相変化マークの完全な消去が行われないために生じる現象である。このようなジッタの増加はデータ再生不能の原因となる。
【０００６】
【特許文献１】
特許公開平５−５４４１４号公報
【０００７】
【発明が解決しようとする課題】
本発明が解決しようとする技術的な課題は、書換え可能な記録媒体へのマーク記録時、既に記録されている相変化マークの消去率を増進させて書換え特性を向上させうる記録装置及び方法を提供するのにその目的がある。
【０００８】
【課題を解決するための手段】
前記目的を達成するために本発明は、光源と、前記光源からの出射光を集束させて記録媒体の記録面に光スポットとして集束させる対物レンズを備える光ピックアップを適用し、記録可能型記録媒体にマークを記録可能な記録装置において、書換え可能な記録媒体への記録時には、１回だけ書込み可能な記録媒体への記録時及び／または記録媒体の再生時より、記録媒体の記録面に形成される光スポットを大きくして記録することを特徴とする。
【０００９】
本発明の一特徴によれば、前記光ピックアップは、記録媒体の記録面に形成される光スポットサイズを可変させうる光スポットサイズ調節部材を備え、書換え可能な記録媒体への記録時に、１回だけ書込み可能な記録媒体への記録時及び／または所定記録媒体の再生時より、記録媒体の記録面に形成される光スポットが大きくなるように、前記光スポットサイズ調節部材を制御する制御部を含みうる。
【００１０】
前記光スポットサイズ調節部材は前記対物レンズに一体に形成されうる。前記光スポットサイズ調節部材は、液晶の透過率調節により前記対物レンズの有効開口数を変化させることによって記録媒体の記録面に形成される光スポットサイズを調節するように備えられる。
【００１１】
具体的に、前記光スポットサイズ調節部材は、前記対物レンズの有効開口数を変化させるために前記対物レンズの周辺部に対応する位置にのみ液晶が塗布されて電極が連結された構造より形成されうる。
【００１２】
本発明の他の特徴によれば、前記対物レンズは記録媒体の記録面に形成される光スポットサイズを可変可能に備えられ、書換え可能な記録媒体への記録時に、１回だけ書込み可能な記録媒体への記録時及び／または所定記録媒体の再生時より、記録媒体の記録面に形成される光スポットのサイズが大きくなるように、前記対物レンズを制御する制御部を備えることもできる。
【００１３】
本発明のさらに他の特徴によれば、書換え可能な記録媒体への記録時には前記対物レンズをデフォーカスして記録媒体の記録面に形成される光スポットのサイズをも大きくしうる。
【００１４】
前記書換え可能な記録媒体は、相変化記録媒体より具体的に、ＣＤ−ＲＷ、ＤＶＤ−ＲＷ、ＤＶＤ＋ＲＷ、ＤＶＤ−ＲＡＭ、ＤＶＤより高密度の１回以上の書換え可能な次世代ＤＶＤのうち何れか１つであり、ＣＤ系列の光ディスク、ＤＶＤ系列の光ディスク及び次世代ＤＶＤ系列の光ディスクのうち少なくとも何れか１つにマーク記録及び／または記録された情報を再生するのに適用されうる。
【００１５】
前記目的を達成するために本発明は、光源と、前記光源からの出射光を集束させて記録媒体の記録面に光スポットとして集束させる対物レンズを備える光ピックアップを適用し、書換え可能な記録媒体に記録する方法において、書換え可能な記録媒体の記録面に形成される光スポットサイズを１回だけ書込み可能な記録媒体への記録時及び／または記録媒体再生時より大きくして記録することを特徴とする。
【００１６】
前述したように前記書換え可能な記録媒体は、相変化記録媒体、より具体的に、ＣＤ−ＲＷ、ＤＶＤ−ＲＷ、ＤＶＤ＋ＲＷ、ＤＶＤ−ＲＡＭ、ＤＶＤより高密度である１回以上の書換え可能な次世代ＤＶＤのうち何れか１つであり得る。
【００１７】
【発明の実施の形態】
以下、添付した図面に基づき、本発明を詳細に説明する。
【００１８】
図２は、本発明の第１実施例に係る光ピックアップ１０を適用した記録装置を概略的に示す図である。本発明に係る記録装置は光源１１と、光源１１からの出射光を集束させて記録媒体１の記録面１に光スポットを形成する対物レンズ１５と、記録媒体１の記録面１に形成される光スポットサイズを可変させうる光スポットサイズ調節部材１７を備える光ピックアップ１０と、光スポットサイズ調節のために光スポットサイズ調節部材１７を制御する制御部２０を含んで構成される。
【００１９】
光スポットサイズ調節部材１７は、対物レンズ１５をフォーカス方向及びトラックキング方向に制御するためのアクチュエータ１６に対物レンズ１５と共に搭載されたのが望ましい。これは光スポットサイズ調節部材１７の中心と対物レンズ１５の中心軸とが一致することが望ましいからである。
【００２０】
図２には光スポットサイズ調節部材１７が対物レンズ１５と別途に備えられた部材と示されているが、光スポットサイズ調節部材１７は対物レンズ１５の一レンズ面、望ましくは、光源１１側に向う面に一体に形成しても良い。
【００２１】
光スポットサイズ調節部材１７は、液晶の透過率調節により対物レンズ１５の有効開口数を変化させることによって記録媒体１の記録面１に形成される光スポットサイズを調節するように構成されうる。具体例として、光スポットサイズ調節部材１７は、図３に示されたように、対物レンズ１５の有効開口数を変化させるために対物レンズ１５の周辺部に対応する位置にのみ電極１７ｂが連結された液晶塗布領域１７ａを有する構造よりなりうる。
【００２２】
制御部２０は、書換え可能な記録媒体、すなわち、相変化記録媒体への記録時に１回だけ書込み可能な記録媒体への記録時及び記録媒体の再生時より記録媒体１の記録面１に形成される光スポットのサイズが大きくなるように光スポットサイズ調節部材１７を制御する。
【００２３】
光スポットサイズ調節部材１７がその液晶塗布領域１９に電圧を付加して透過率を調節するように設けられた場合、制御部２０は、例えば、記録媒体１の再生時、及び１回だけ書込み可能な記録媒体への記録時は、図４に示されたように、液晶塗布領域１７ａに液晶の透過率が最大となって、高い有効開口数を有するように電圧を付加し、書換え可能な記録媒体への記録時は図５に示されたように液晶塗布領域１７ａに液晶の透過率が最小となって低い有効開口数を有するように電圧を付加する。
【００２４】
このように、液晶タイプよりなる光スポットサイズ調節部材１７に電圧を付加して有効開口数を調節すれば、再生時及び１回だけ書込み可能な記録媒体への記録時は、記録媒体１の記録面１に光ピックアップ１０にて生成可能な最小サイズの光スポットが形成され、書換え可能な記録媒体への記録時は記録媒体１の記録面１に形成される光スポットサイズを再生時及び１回だけ書込み可能な記録媒体への記録時より増加させうる。
【００２５】
このように書換え可能な記録媒体への記録時、光スポットサイズを増加させれば書換え特性が良くなる理由は次の通りである。
【００２６】
相変化記録媒体に書換えする場合、既に記録されているマークが消去され、その上に新たなマークが記録されるが、既存マークの消去率は消去が行われる温度が長く保たれるほど増加する。
【００２７】
本発明の記録方式を利用する時の記録媒体１の記録面１に照射される単位面積当り光パワーが既存の記録方式を用いる時と同一であるか、あるいは消去が行われる温度に該当すると仮定すれば、本発明の記録方式を用いる場合には既存の記録方式を用いるより光の照射面積が広いので、消去が起こる温度が既存の記録方式を適用した場合より長く保たれる。
【００２８】
したがって、本発明のように光スポットを大きくして書換え可能な記録媒体記録に用いれば、既存方式を適用した場合に比べて消去率が増加して相変化記録媒体の書換え特性が向上される。
【００２９】
ここで、既存の記録方式とは、書換え可能な記録媒体への記録時の光スポットのサイズと、１回だけ書込み可能な記録媒体への記録時及び再生時の光スポットのサイズとが同一な記録方式を意味する。
【００３０】
図６を参照すれば、本発明に係る記録装置に適用される光ピックアップ３０は、前記のような光スポットサイズ調節部材（図２の１７）を備える代わりに対物レンズ３５自体が記録媒体１の記録面１に形成される光スポットサイズを可変可能に備えられる。例えば、対物レンズ３５への電圧の付加により有効口径のサイズを調整可能な液晶レンズを備え、制御部２０の制御により対物レンズ３５、すなわち、液晶レンズの有効口径のサイズを調節して有効開口数を変化させれば光スポットのサイズを可変させうる。
【００３１】
図７を参照すれば、本発明に係る記録装置に適用される光ピックアップ４０が別の光スポットサイズ調節部材（図２の１７）を備えない一般的な構造であり、代りに書換え可能な記録媒体への記録時には制御部２０の制御により記録媒体１の記録面１に形成される光スポットのサイズが大きくなるように対物レンズ３５をデフォーカスして使用することもできる。
【００３２】
一方、本発明に係る記録装置に適用される光ピックアップ１０、３０、４０は、図２、図６及び図７に示されたように、光源１１からの出射光の進行経路を変換するための光路変換ユニットと、光源１１から出射された発散光状の光を平行光に変えるコリメーティングレンズ１４と、記録媒体１の記録面１から反射され、対物レンズ３５及び光路変換ユニットを経て入射される光を受光して情報信号及び／またはエラー信号を検出するための光検出器１９を備える。
【００３３】
光源１１では所定波長の光を出射する半導体レーザーを備えられる。光源１１は、本発明に係る記録装置がＣＤ系列の光ディスクに適合した場合に７８０ｎｍ波長の光、ＤＶＤ系列の光ディスクに適合した場合に赤色波長、例えば、６５０ｎｍ波長の光、次世代ＤＶＤ系列の光ディスクに適合した場合には青磁色波長、例えば、４０５ｎｍ波長の光を出射するように備えられる。
【００３４】
前記光路変換ユニットは、入射光を偏光状態によって透過／反射させる偏光ビームスプリッタ１２と、入射光の偏光を変える波長板１３、望ましくは光源１１からの出射光の波長に対する１／４波長板よりなりうる。代案として、前記光路変換ユニットとしては入射光を所定の割合で透過及び反射させるビームスプリッタをも備えられる。
【００３５】
図２、図６及び図７において、参照番号１８は検出レンズである。この検出レンズ１８は記録媒体１の記録面１から反射されて光検出器１９側に進行する光のビームサイズを拡大して光検出器１９に受光させる。光ピックアップ１０、３０、４０が非点収差法によりフォーカスエラー信号を検出する場合、検出レンズ１８として非点収差レンズを備えるか、別途の非点収差レンズをさらに備えることもできる。
【００３６】
ここで、本発明に係る記録装置に適用される光ピックアップ１０、３０、４０の光学的な構成は図２、図６及び図７に限定されず、多様に変形されうる。
【００３７】
前述したような本発明に係る記録装置は、記録可能型記録媒体にマークを記録するか、所定の記録媒体に記録されているマークまたはピットを再生するものであって、書換え可能な記録媒体記録時には１回だけ書込み可能な記録媒体への記録時及び／または記録媒体の再生時より記録媒体の記録面に形成される光スポットを大きくして記録する。
【００３８】
以下では、図８ないし１５に基づいて本発明に係る記録方式を適用すれば、マークの消去率が増加して書換え可能な相変化記録媒体の書換え特性を向上させうることを説明する。
【００３９】
図８は、１０倍速用のＣＤ−ＲＷ光ディスクに記録された３Ｔに該当する相変化マークを示し、図９ないし図１４は各々ＦＷＨＭを基準にした大きさが各々２６２ｎｍ、２６７ｎｍ、２７９ｎｍ、３００ｎｍ、３５０ｎｍ、４５０ｎｍの光スポットを形成して図８のマークを消去した結果を示す。
【００４０】
図１５は、ＦＷＨＭを基準にした大きさが各々２６２ｎｍ、２６７ｎｍ、２７９ｎｍ、３００ｎｍ、３５０ｎｍ、４５０ｎｍの光スポットを用いて図８のマークを消去した時の図９ないし図１４の残留マークの大きさを図８に示された消去前のマークの大きさで割った結果を示す。また、図１５は、ＦＷＨＭを基準にした大きさが各々２６２ｎｍ、２６７ｎｍ、２７９ｎｍ、３００ｎｍ、３５０ｎｍ、４５０ｎｍの光スポットを得るのに必要なデフォーカス量も共に示す。
【００４１】
光スポットのサイズ変化は、対物レンズ３５の有効開口数を変化させるか、対物レンズ３５をディスフォーカスさせることで得られる。有効開口数が小さくなるほど対物レンズ３５による集束光の焦点距離は延びるので、有効開口数変化及び対物レンズ３５のデフォーカシングはデフォーカス量として表現されうる。
【００４２】
図１５に示したように前記光スポットサイズ２６２ｎｍは有効開口数が１回だけ書込み可能な記録媒体と同一か、あるいは対物レンズ３５がデフォーカスされず、デフォーカス量が“０”、すなわち、フォーカスされた時に得られる。また、前記光スポットサイズ２６７ｎｍ、２７９ｎｍ、３００ｎｍ、３５０ｎｍ、４５０ｎｍは各々λ、２λ、３λ、４λ、５λだけデフォーカスされた状態で得られる。
【００４３】
図８ないし図１４から分かるように、光スポットが大きくなるほど消去後に残留されたマーク部分のサイズが減少する。光スポットが大きくなるほど消去後に残留されたマーク部分のサイズが減少することは、図１５のグラフを通じても確認できる。
【００４４】
以上の実験は本発明の記録方式を１０倍速用のＣＤ−ＲＷ光ディスクに適用すれば、消去率が増進されて書換え特性が向上されうることを示すが、本発明の記録方式は、ＣＤ−ＲＷ光ディスクのような相変化記録媒体であれば、如何なるフォーマットの光ディスクにも適用できる。
【００４５】
すなわち、前述したような本発明の記録方式は、ＣＤ−ＲＷだけでなく、ＤＶＤ−ＲＷ、ＤＶＤ＋ＲＷ、ＤＶＤ−ＲＡＭ、ＤＶＤより高密度である１回以上の書換え可能な次世代ＤＶＤを含む多様な書換え可能な記録媒体に相変化マークを記録するのに適用できる。ここで、次世代ＤＶＤは高鮮明（Ｈｉｇｈ　Ｄｅｆｉｎｉｔｉｏｎ）級の動映像情報を貯蔵できる２０ＧＢ以上の貯蔵容量を有する高容量記録媒体を言い、現在規格化が進まれている。
【００４６】
前述したような本発明に係る記録装置は、書換え可能な記録媒体だけでなく、１回だけ書込み可能な記録媒体も記録できる。また、本発明に係る記録装置は所定の記録媒体、すなわち、１回だけ書込み可能な記録媒体、書換え可能な記録媒体及び再生専用記録媒体の再生も可能である。前記１回だけ書込み可能な記録媒体は、ＣＤ−Ｒ、ＤＶＤ−Ｒ及び１回だけ書込み可能な次世代ＤＶＤのうち何れか１つであり得る。前記再生専用記録媒体は、ＣＤ−ＲＯＭ、ＤＶＤ−ＲＯＭ及び再生専用の次世代ＤＶＤのうち何れか１つであり得る。
【００４７】
前述したように本発明に係る記録装置は、ＣＤ系列の光ディスク、ＤＶＤ系列の光ディスク及び次世代ＤＶＤ系列の光ディスクのうち少なくとも何れか１つにマーク記録及び／または記録された情報を再生するのに適用しうる。
【００４８】
【発明の効果】
前述したように本発明に本発明によれば、書換え可能な記録媒体への記録時に１回だけ書込み可能な記録媒体への記録時及び／または記録媒体の再生時より光スポットを大きくして記録するので、書換え可能な記録媒体へのマーク記録時、既に記録されている相変化マークの消去率を増進させて書換え特性が向上される。
【図面の簡単な説明】
【図１】現在販売されている１０倍速（１０×）用のＣＤ−ＲＷ光ディスクを４倍速（４×）及び１０倍速（１０×）に書換えした時、書換え回数に係るジッタ測定結果を示すグラフである。
【図２】本発明の第１実施例に係る光ピックアップを適用した記録装置を概略的に示す図である。
【図３】図２の光スポットサイズ調節部材の一実施例を概略的に示す平面図である。
【図４】記録媒体の再生時及び１回だけ書込み可能な記録媒体への記録時、小さな光スポットを形成する光スポットサイズ調節部材の動作状態及び光の進行幅を示す図である。
【図５】書換え可能な記録媒体への記録時、大きな光スポットを形成する光スポットサイズ調節部材の動作状態及び光の進行幅変化を示す図である。
【図６】本発明の第２実施例に係る光ピックアップを適用した記録装置を概略的に示す図である。
【図７】本発明の第３実施例に係る光ピックアップを適用した記録装置を概略的に示す図である。
【図８】１０倍速用のＣＤ−ＲＷ光ディスクに記録された３Ｔに該当する相変化マークを示す図である。
【図９】ＦＷＨＭを基準にしたサイズが各々２６２ｎｍ、２６７ｎｍ、２７９ｎｍ、３００ｎｍ、３５０ｎｍ、４５０ｎｍである光スポットを形成して図８のマークを消去した結果を示す図である。
【図１０】ＦＷＨＭを基準にしたサイズが各々２６２ｎｍ、２６７ｎｍ、２７９ｎｍ、３００ｎｍ、３５０ｎｍ、４５０ｎｍである光スポットを形成して図８のマークを消去した結果を示す図である。
【図１１】ＦＷＨＭを基準にしたサイズが各々２６２ｎｍ、２６７ｎｍ、２７９ｎｍ、３００ｎｍ、３５０ｎｍ、４５０ｎｍである光スポットを形成して図８のマークを消去した結果を示す図である。
【図１２】ＦＷＨＭを基準にしたサイズが各々２６２ｎｍ、２６７ｎｍ、２７９ｎｍ、３００ｎｍ、３５０ｎｍ、４５０ｎｍである光スポットを形成して図８のマークを消去した結果を示す図である。
【図１３】ＦＷＨＭを基準にしたサイズが各々２６２ｎｍ、２６７ｎｍ、２７９ｎｍ、３００ｎｍ、３５０ｎｍ、４５０ｎｍである光スポットを形成して図８のマークを消去した結果を示す図である。
【図１４】ＦＷＨＭを基準にしたサイズが各々２６２ｎｍ、２６７ｎｍ、２７９ｎｍ、３００ｎｍ、３５０ｎｍ、４５０ｎｍである光スポットを形成して図８のマークを消去した結果を示す図である。
【図１５】ＦＷＨＭを基準にしたサイズが各々２６２ｎｍ、２６７ｎｍ、２７９ｎｍ、３００ｎｍ、３５０ｎｍ、４５０ｎｍの光スポットを用いて図８のマークを消去した時の図９ないし図１４の残留マークのサイズを図８に示された消去前のマークサイズで割った結果を、そのような大きさの光スポットを得るのに必要なデフォーカス量と共に示すグラフである。
【符号の説明】
１　　記録媒体
１０　光ピックアップ
１１　光源
１５　対物レンズ
１７　光スポットサイズ調節部材
２０　制御部
【図１】
2004014100.tif 000003
【図２】
2004014100.tif 000004
【図３】
2004014100.tif 000005
【図４】
2004014100.tif 000006
【図５】
2004014100.tif 000007
【図６】
2004014100.tif 000008
【図７】
2004014100.tif 000009
【図８】
2004014100.tif 000010
【図９】
2004014100.tif 000011
【図１０】
2004014100.tif 000012
【図１１】
2004014100.tif 000013
【図１２】
2004014100.tif 000014
【図１３】
2004014100.tif 000015
【図１４】
2004014100.tif 000016
【図１５】
2004014100.tif 000017